(57)【特許請求の範囲】
【請求項１】
円錐躯体の高さ方向に対応して前記円錐躯体の周囲に配置されるマストに沿って昇降される円錐躯体用の移動昇降式足場であって、
前記マストを中心に左右側に作業スペースを有する作業プラットホームデッキと、
前記作業プラットホームデッキに有する前記左右側の作業スペースに備えられる一対の張り出しデッキを有し、
前記一対の張り出しデッキのそれぞれは、弧状を成す親スライドデッキと前記親スライドデッキにスライド可能に収容される子スライドデッキを有し、前記作業スペースから円錐躯体の中心方向に延びるように配置されたレールに沿ってスライド移動することにより、前記円錐躯体の中心方向、及び互いに近接する方向に前記作業プラットホームデッキから張り出し可能である
ことを特徴とする円錐躯体用の移動昇降式足場。
【請求項２】
請求項１において、
前記張り出しデッキは、前記作業プラットホームデッキの下側に、異型ボルト・ナットで固定された取り付けフレームに固定され、前記円錐躯体の中心方向に向いた前記レール上に載置されて、前記円錐躯体の中心方向に向けて張り出し可能である、
ことを特徴とする円錐躯体用の移動昇降式足場。
【請求項３】
請求項１において、
前記作業プラットホームデッキに有する左右側の作業スペースのそれぞれに備えられる張り出しデッキの前記親スライドデッキに収容される子スライドデッキは、前記円錐躯体の円周方向で互いに反対方向に前記親スライドデッキから引き出し可能である、
ことを特徴とする円錐躯体用の移動昇降式足場。
【請求項４】
請求項３において、
前記親スライドデッキと子スライドデッキのそれぞれの妻側に開閉扉を有し、前記開閉扉が開かれた状態で、前記一対の張り出しデッキの親スライドデッキ間及び、隣接する移動昇降式足場の張り出しデッキの子スライドデッキ間に渡し板を設置して、前記円錐躯体の全周囲を移動可能である、
ことを特徴とする円錐躯体用の移動昇降式足場。
【請求項５】
請求項２において、
前記レールの先端部に設けられて、前記張り出しデッキの張り出しを検知する第１のリミットスイッチと、
前記子スライドデッキの端部に設けられて、前記子スライドデッキの前記親スライドデッキからの引き出しを検知する第２のリミットスイッチを有する、
ことを特徴とする円錐躯体用の移動昇降式足場。
【請求項６】
円錐躯体の高さ方向に沿って前記円錐躯体の周囲に配置される複数のマストのそれぞれに沿って昇降される複数の円錐躯体用の移動昇降式足場の昇降を制御する昇降制御システムであって、
前記複数の円錐躯体用の移動昇降式足場のそれぞれは、
前記マストを中心に左右側に作業スペースを有する作業プラットホームデッキと、
前記作業プラットホームデッキに有する前記左右側の作業スペースに備えられる一対の張り出しデッキを有し、
前記一対の張り出しデッキのそれぞれは、弧状を成す親スライドデッキと前記親スライドデッキにスライド可能に収容される子スライドデッキを有し、前記作業スペースから円錐躯体の中心方向に延びるように配置されたレールに沿ってスライド移動することにより、前記円錐躯体の中心方向、及び互いに近接する方向に前記作業プラットホームデッキから張り出し可能であり、
前記複数の円錐躯体用の移動昇降式足場のいずれかに、制御部を有する操作盤を備え、
前記操作盤は、他の全ての移動昇降式足場の前記張り出しデッキの収納を確認した時に、
前記移動昇降式足場の昇降を可能にする、
ことを特徴とする円錐躯体用の移動昇降式足場の昇降を制御する昇降制御システム。
【請求項７】
円錐躯体に対するコンクリート打設作業における作業用可動式足場の形成方法であって、
前記円錐躯体の高さ方向に対応して前記円錐躯体の周囲に配置される複数のマストのそれぞれに沿って昇降される複数の移動昇降式足場を用意し、
前記複数の移動昇降式足場のそれぞれは、
前記マストを中心に左右側に作業スペースを有する作業プラットホームデッキと、
前記作業プラットホームデッキに有する前記左右側の作業スペースに備えられる一対の張り出しデッキを備え、更に、前記一対の張り出しデッキのそれぞれは、弧状を成す親スライドデッキと前記親スライドデッキにスライド可能に収容される子スライドデッキを有し、前記作業スペースから円錐躯体の中心方向に延びるように配置されたレールに沿ってスライド移動することにより、前記円錐躯体の中心方向、及び互いに近接する方向に前記作業プラットホームデッキから張り出し可能とし、
前記コンクリート打設作業におけるジベル筋施工時は、前記張り出しデッキを前記作業プラットホームデッキから張り出し、且つ前記子スライドデッキを前記円錐躯体の円周方向にスライド拡張し、
前記コンクリート打設作業における型枠形成時は、前記張り出しデッキを前記作業プラットホームデッキから張り出さずに、前記子スライドデッキを前記円錐躯体の円周方向にスライド拡張して、前記作業プラットホームデッキから必要とする間隔を張り出し調整可能とし、
前記円錐躯体の作業高さ位置及び作業種別に対応する作業足場を形成する、
ことを特徴とする円錐躯体に対するコンクリート打設作業における作業用可動式足場の形成方法。
【発明の詳細な説明】
【技術分野】
【０００１】
本発明は、特に、橋脚、煙突等の円錐状躯体工事の際に用いる移動昇降式足場と、その昇降を制御する昇降制御システム、及び円錐躯体に対するコンクリート打設作業における作業用可動式足場の形成方法に関する。
【背景技術】
【０００２】
ビル壁面等の高所における建設、補修等の工事のために昇降式の作業用足場装置（移動昇降式足場）が用いられている。
【０００３】
一般にビル等の高所作業において、上下に長大な作業領域と、横方向にも大きな作業領域を有している。かかる高所作業を考慮して、移動昇降式足場に関して種々の発明が提示されている（特許文献１〜８）。
【０００４】
特許文献１に記載の発明は、足場の上下移動を伴わずに、上下方向に広い作業範囲を確保することを目的とするものである。特許文献１に記載の移動昇降式足場は、メインフレームデッキと、このフレーム上に載置されるメインデッキプレートとを備えるデッキ部が、マストに沿って昇降される昇降式デッキを構成している。さらに、当該昇降式デッキの下部に簡易に組み立てられる作業用足場を増設可能として、上下方向に広い作業範囲を確保するものである。
【０００５】
特許文献２に記載の発明は、壁面等の作業対象面と移動昇降式足場との間隔が広い場合に、作業員の安全を確保する移動昇降式足場を提案している。すなわち、移動昇降式足場を作業対象面との間隔を調整する方向に足場プレートを繰り出し、あるいは引き込みできる構造を提案している。
【０００６】
特許文献３に記載の発明は、駆動部と一体に昇降する足場部が、駆動部の側方に設けられ、前記足場部が、壁面に平行に直線方向に張り出し可能とされ，更に，特許文献２の発明と同様に足場部が壁面に鉛直方向に進退制御する移動手段を備えている。
【０００７】
特許文献４に記載の発明は、斜面に沿って昇降される足場架台上にスライドデッキプレートを設け、前記特許文献２、３と同様に、作業対象の斜面と足場装置との間隔を調整するために、スライドデッキプレートを張り出し、引込みできる様にしている。  
【０００８】
ここで、上記特許文献１〜４に記載の発明は、ビル壁面等の専ら平らな面を成す対象物に対する作業用足場を意図している。
【０００９】
これに対して、特許文献５は、壁面が水平方向に所定の曲率半径で屈曲した建物に対応する昇降式の移動昇降式足場を開示している。特徴として、鉛直方向に延びる複数のマストに水平にデッキを建物の壁の屈曲した径に対応して備える構造である。デッキの両側に非平行の桁を有する第１ユニットと、略台形の桁を有する第２のユニットとを連結して前記建物の屈曲面に対応させている。
【００１０】
ここで、高所躯体として、橋脚、煙突等の円錐形を成す躯体がある。かかる円錐形を成す躯体の面は曲率を有し、且つ地平面から高くなるほどその径が小さくなるという特徴を有する。かかる円錐形状躯体の特徴を考慮した移動昇降式足場に関する発明も種々提案されている。
【００１１】
特許文献６に記載の発明は、マストに沿って昇降する昇降部の側方部に設けられた足場部の一端側を支点にしてこれを中心に前記足場部を水平方向に回動して、円錐形状躯体に足場部を近づける構成をしている。
【００１２】
特許文献７に記載の発明は、マストに沿って、昇降する駆動部の側方に仰角補正を行う駆動部デッキと、更に駆動部デッキに固定された固定デッキを介して可動部デッキを有する構造を開示している。そして、これらを組合せて、曲面と傾斜を有する壁面に作業デッキを対応させることを示している。
【００１３】
さらに、特許文献８に記載の発明は、複数のデッキフレームを連結して形成され、デッキフレームと駆動部の間、あるいはデッキフレーム間に連結機構を有する。この連結機構は、連結角度を設定するための角度可変手段を有している。さらに、前記連結機構の結合部を有し、結合部がデッキフレームと駆動部の間、あるいはデッキフレーム間に結合された状態で、駆動部及び作業デッキが昇降する様に構成されている。
【先行技術文献】
【特許文献】
【００１４】
【特許文献１】特開２０１２−２６２０７号公報
【特許文献２】特開２０１１−２４６８９４号公報
【特許文献３】特開２０１２−１８０７３０号公報
【特許文献４】特開２０１４−４３７１３号公報
【特許文献５】特開２０１０−１３８６５２号公報
【特許文献６】特開２０１４−２５３２６号公報
【特許文献７】特開２０１３−４０４７８号公報
【特許文献８】特開２０１２−１４９３９３号公報
【発明の概要】
【発明が解決しようとする課題】
【００１５】
上記に述べた先行技術において、特許文献１〜５に記載の発明においては、高さ方向において、対象躯体の形態は変化しないものである。したがって、これら特許文献で提案される移動昇降式足場は、上下方向において、形状の変化する躯体、即ち、橋脚、煙突等の円錐形を成す躯体に対しては、適用が困難である。
【００１６】
一方、特許文献６〜８に記載の発明においては、円錐形を成す躯体への適用を考慮した移動昇降式足場が提案されている。
【００１７】
しかし、円錐形を成す躯体の壁面と作業用ステージとの間隔を調整する方法として、特許文献６に記載の発明では、昇降部の側方部に設けられた足場部の一端側を支点としてこれを中心に前記足場部を水平方向に回動して、円錐形状躯体に足場部を近づける構造である。従って、かかる場合は、支点とする一端側において、円錐形状躯体と間隔を小さくすることは困難であり、更に他端側においても円錐形状躯体の径によっては、間隔を小さくできないという課題を有する。
【００１８】
さらに、特許文献７，８に記載の発明にあっては、一判的な移動昇降式足場ではなく、特別な連結機構を必要とする移動昇降式足場を用い、更に連結された状態では複数の移動昇降式足場は、独立して昇降移動が不可能な構造である。
【００１９】
かかる点から、本発明は、円錐形状の躯体に適した移動昇降式足場であって、一般的な移動昇降式足場にも利用可能な構造を適用し、いずれの高さにおいても容易に円錐形状の躯体の形状に対応し、且つ作業種別に対応して、躯体との距離を制御可能な移動昇降式足場を提供することにある。
【００２０】
さらに、円錐形状の躯体の周囲に置かれる複数の移動昇降式足場が、同時昇降の際は、これまでシステム的な装置や安全といった観点の対応が確立されていなかった。よって、本発明は、更に、複数の移動昇降式足場が、独立してあるいは、同時昇降に対しても躯体との間隔が的確に制御可能な移動昇降式足場を提供することにある。
【課題を解決するための手段】
【００２１】
上記本発明の課題を解決する円錐躯体用の移動昇降式足場の第１の態様は、円錐躯体の高さ方向に対応して前記円錐躯体の周囲に配置されるマストに沿って昇降される円錐躯体用の移動昇降式足場であって、前記マストを中心に左右側に作業スペースを有する作業プラットホームデッキと、前記マストを中心に、前記作業プラットホームデッキの両側に位置し、前記円錐躯体の中心方向に前記作業プラットホームデッキから張り出し可能の一対の張り出しデッキを有し、
前記一対の張り出しデッキのそれぞれが、更に、前記円錐躯体の円周に沿ってスライド可能であることを特徴とする。
【００２２】
上記本発明の課題を解決する円錐躯体用の移動昇降式足場の第１の態様において、前記張り出しデッキは、前記作業プラットホームデッキの下側に、異型ボルト・ナットで固定された取り付けフレームに固定され、前記円錐躯体の中心方向に向いたレール上に載置されて、前記円錐躯体の中心方向に向けて張り出し可能であることを特徴とする。
【００２３】
さらに、上記本発明の課題を解決する円錐躯体用の移動昇降式足場の第１の態様において、前記一対の張り出しデッキのそれぞれは、親スライドデッキと、前記親スライドデッキに収容される子スライドデッキを有し、且つ前記一対の張り出しデッキのそれぞれの子スライドデッキは、前記円錐躯体の円周方向で互いに反対方向に前記親スライドデッキから引き出し可能であることを特徴とする。
【００２４】
また、前記親スライドデッキと子スライドデッキのそれぞれの妻側に開閉扉を有し、前記開閉扉が開かれた状態で、前記一対の張り出しデッキの親スライドデッキ間及び、隣接する移動昇降式足場の張り出しデッキの子スライドデッキ間に渡し板を設置して、前記躯体の全周囲を移動可能であることを特徴とする。
【００２５】
さらに、上記本発明の課題を解決する第１の態様において、前記レールの先端部に設けられて、前記張り出しデッキの張り出しを検知する第１のリミットスイッチと、前記子スライドデッキの端部に設けられて、前記子スライドデッキの前記親スライドデッキからの引き出しを検知する第２のリミットスイッチを有することを特徴とする。
【００２６】
また、上記本発明の課題を解決する第１の態様において、前記親スライドデッキに、前記作業プラットホームデッキ側に開く第１の扉と、前記子スライドデッキに、隣接の移動昇降式足場の子スライドデッキとの間を繋ぐ第２の扉を有することを特徴とする。
【００２７】
上記本発明の課題を解決する移動昇降式足場の昇降を制御する昇降制御システムは、円錐躯体の高さ方向に沿って前記円錐躯体の周囲に配置される複数のマストのそれぞれに沿って昇降される複数の円錐躯体用の移動昇降式足場の昇降を制御する昇降制御システムであって、前記複数の円錐躯体用の移動昇降式足場のそれぞれは、前記マストを中心に左右側に作業スペースを有する作業プラットホームデッキと、前記マストを中心に、前記作業プラットホームデッキの両側に位置し、前記円錐躯体の中心方向に前記作業プラットホームデッキから張り出し可能の一対の張り出しデッキを有し、前記一対の張り出しデッキのそれぞれが、更に、前記円錐躯体の円周に沿ってスライド可能であり、更に前記複数の移動昇降式足場のいずれかに、制御部を有する操作盤を備え、前記操作盤は、他の全ての移動昇降式足場の前記張り出しデッキの収納を確認した時に、前記移動昇降式足場の昇降を可能にすることを特徴とする。
【００２８】
さらに前記本発明の課題を解決する円錐躯体に対するコンクリート打設作業における作業用可動式足場の形成方法は、円錐躯体に対するコンクリート打設作業における作業用可動式足場の形成方法であって、前記円錐躯体の高さ方向に対応して前記円錐躯体の周囲に配置される複数のマストのそれぞれに沿って昇降される複数の移動昇降式足場を用意し、前記複数の移動昇降式足場のそれぞれに前記マストを中心に左右側に作業スペースを有する作業プラットホームデッキと、前記マストを中心に、前記作業プラットホームデッキの両側に位置し、前記円錐躯体の中心方向に前記作業プラットホームデッキから張り出し可能の一対の張り出しデッキを備え、更に、前記一対の張り出しデッキのそれぞれを、前記円錐躯体の円周に沿ってスライド可能とし、前記コンクリート打設作業におけるジベル筋施工時は、前記張り出しデッキを前記作業プラットホームデッキから張り出し、且つ前記円錐躯体の円周方向にスライド拡張し、前記コンクリート打設作業における型枠形成時は、前記張り出しデッキを前記作業プラットホームデッキから張り出さずに、前記円錐躯体の円周方向にスライド拡張して、前記作業プラットホームデッキから必要とする間隔を張り出し調整可能とし、前記円錐躯体の作業高さ位置及び作業種別に対応する作業足場を形成することを特徴とする。
【図面の簡単な説明】
【００２９】
【図１】本発明に従う移動昇降式足場を一例として円錐状の橋脚の建設に使用する状態を示す正面図である。
【図２Ａ】円錐状の橋脚の上方から見た断面図その１である。
【図２Ｂ】円錐状の橋脚の上方から見た断面図その２である。
【図２Ｃ】渡し板を説明するために例として、図２Ｂの部分を拡大して示す図である。
【図３】本発明に従う移動昇降式足場の作業プラットホームデッキを説明する図である。
【図４】図３における矢印方向から見た側面図である。
【図５】張り出しデッキの構成例を示す図である。
【図６】作業プラットホームデッキと張り出しデッキとの関係を説明する図である。
【図７Ａ】レール沿って張り出しデッキが張り出された状態を示す図である。
【図７Ｂ】図７Ａに示す状態から更に子スライドデッキが、親スライドデッキから引き出された状態を示す図である。
【図７Ｃ】左右に備えられる張り出しデッキがともに作業プラットホームデッキ側に収納された状態である。
【図７Ｄ】図７Ｃの張り出しデッキがともに作業プラットホームデッキに収納された状態から子スライドデッキが引き出された状態を示す図である。
【図８】集中管理システムにおける操作盤の機能ブロック図である。
【図９】親スライドデッキ及び子スライドデッキの状態をそれぞれ検知するリミットスイッチの配置位置を説明する図である。
【図１０】複数台の移動昇降式足場の昇降を制御するフロー図である。
【発明を実施するための形態】
【００３０】
以下図面に従い、本発明の実施例を説明する。ただし、図面に記載の実施例は、本発明の理解のためのものであり、本発明の保護の範囲は、かかる図示された実施例に限定されず、特許請求の範囲の記載及びその均等物に及ぶものである。
【００３１】
図１は、本発明に従う移動昇降式足場を一例として円錐状の橋脚の建設に使用する状態を示す正面図であり、図２Ａ，図２Ｂは、橋脚の上方から見た断面図である。
【００３２】
図に示す実施例では、作業対象である躯体としての円錐状の橋脚１（以降、単に躯体１という）の外周に４本のマスト２a，２b，２c，２dが立てられている。
【００３３】
マスト２a，２b，２c，２d（以降、適宜マスト２と総称する）には、図示していないラックが高さ方向に沿って設けられている。一方、４つのマスト２に対応して、前記ラックにかみ合うピニオンギヤをそれぞれ有する４つの移動昇降式足場３a，３b，３c，３d（以降、適宜移動昇降式足場３と総称する）が備えられている。
【００３４】
移動昇降式足場３に備えられる図示しない駆動モータで回転制御されるピニオンギヤの回転により、４つの移動昇降式足場３を、同期して一斉に、あるいはそれぞれ独立してマスト２を昇降制御することが出来る。
【００３５】
本発明の移動昇降式足場３は、マスト２の両側に広がる作業ステージを有する作業プラットホームデッキ３０と、作業プラットホームデッキ３０から躯体１の中心方向に張り出し可能の左右２つの張り出しデッキ３１で構成される。
【００３６】
２つの張り出しデッキ３１のそれぞれは、親スライドデッキ６０と子スライドデッキ６１を有して構成される。子スライドデッキ６１は、親スライドデッキ６０に収納され、且つ横方向にスライド可能である。これにより横方向に作業スペースを拡張することができる。
【００３７】
作業工程の種類、並びに躯体１における作業位置が高くなるほど、工事対象の断面が小さくなる。したがって、この工事対象断面の変化に対応して、張り出しデッキ３１が作業プラットホームデッキ３０から円心方向に斜めに張り出す（スライドする）機能と、張り出しデッキ３１の親スライドデッキ６０から子スライドデッキ６１が円錐躯体１の形状に対応して左右方向にスライドして円錐躯体１を取り囲む様に配置できる。
【００３８】
かかる機能により、鉄筋組立作業や型枠・コンクリート打設作業時等に躯体１との離隔に対応した作業足場の確保が可能と成り、作業の効率化と墜落事故防止の安全が確保できる。
【００３９】
図２Ａ，図２Ｂにより、更に、作業プラットホームデッキ３０と張り出しデッキ３１（親スライドデッキ６０と子スライドデッキ６１）の関係を説明する。
【００４０】
図２Ａは、躯体１の外周にコンクリート打設を行う工事における、ジベル筋施工時の断面を示す図である。図２Ａにおいて、（１）と（２）は高さの異なる位置での断面を示し、（１）の方が、径が小さく高い位置の断面を示している。
【００４１】
ジベル筋施工時には、躯体１の外壁にジベル筋を打ち込む必要から、図２Ａに示す様に移動昇降式足場３の張り出しデッキ３１が躯体１方向に張り出されて、躯体１の外壁に最接近しての作業が可能となる。
【００４２】
さらに、図２Ａにおいて、（２）では、径が大きい位置にあるので、張り出しデッキ３１の子スライドデッキ６１が親スライドデッキ６０から横方向に引き出され、躯体１の径の略全周に足場を確保できる。
【００４３】
これに対して、図２Ｂは、型枠の形成を行う工事における断面を示す図である。図２Ａと同様に、図２Ｂにおいて、（１）と（２）は高さの異なる位置での断面を示し、（１）の方が、径が小さく高い位置の断面を示している。
【００４４】
型枠の形成施工時には、躯体１の外壁に型枠を形成するために、型枠の厚み分図２Ａに比較して、移動昇降式足場３が、躯体１の外壁から離れて位置づけられる。
【００４５】
したがって、張り出しデッキ３１は、作業プラットホームデッキ３０から繰り出されていない。なお、図２Ｂ（２）にあっては、躯体１の径が大きい位置にあるので、親スライドデッキ６０から子スライドデッキ６１が、図２Ａ(２)と同様に、前記作業プラットホームデッキから必要とする間隔を張り出し調整可能であり、横方向に引き出されて、躯体１の径の略全周に足場を確保している。
【００４６】
なお、作業者が、躯体１の全周に渉って移動可能とするために、隣接する移動昇降式足場３の子スライドデッキ６１同士を繋ぐ渡し板、更にマスト２の両側の親スライドデッキ６０間を繋ぐ渡し板を設けることができるが、図示が複雑となるので図２Ａ，図２Ｂにおいては、省略し、図２Ｃにおいて、その詳細を説明する。
【００４７】
図２Ｃは、かかる渡し板を説明するために例として、図２Ｂの部分を拡大して示す図である。
【００４８】
一の移動昇降式足場３において、マスト２の両側の親スライドデッキ６０間にスペースが生じる。従って、両側の親スライドデッキ６０間に渡し板６００を設けて、親スライドデッキ６０間を移動可能としている。
【００４９】
さらに、隣接する移動昇降式足場３の子スライドデッキ６１間に渡し板６１０を設ける。これにより、隣接する移動昇降式足場３（図２Ｃの３Ｃ，３Ｄ）間も移動することができる。したがって、図２Ａ，図２Ｂにおいて、躯体１の全周囲に渉って、作業者は移動可能である。
【００５０】
ここで、従来の移動昇降式足場では、作業プラットホームの幅が直線方向に一定であり、作業プラットホームの端の方では、躯体１との距離が大きくなる。さらに、躯体１の上方に行く程、径が小さくなり、より躯体１のとの距離が大きくなる。かかる場合は、作業効率が悪くなると同時に作業者が墜落等の事故に繋がるおそれがある。
【００５１】
これに対して、上記の通り、本発明では、円錐状の躯体１に対する作業種類、作業高さに対応して、張り出しデッキ３１が、前方向及び、横方向への引き出しが可能であるので、かかる不都合を解決することが可能である。
【００５２】
次に、上記した本発明に従う移動昇降式足場３の構造の詳細を更に図面を参照しながら説明する。
【００５３】
図３は、本発明に従う移動昇降式足場３の作業プラットホームデッキ３０を説明する図であり、作業プラットホームデッキ３０の平面図である。図４は、図３における矢印方向から見た側面図である。作業プラットホームデッキ３０は、マスト２を中心に左右に作業ステージを有する。図３においては、左右対称であるので、簡単化のためにマスト２の一方側の作業ステージを重点に詳細を示している。
【００５４】
本発明に従う移動昇降式足場３は、特徴として図３に示す破線で囲われた作業プラットホームデッキ３０が、従来の移動昇降式足場と共通であり、この作業プラットホームデッキ３０にマスト２を中心に左右に２つの張り出しデッキ３１が、張り出し可能に付加載置されている点に特徴を有する。以下の説明では、左右対称であるので、一つの張り出しデッキ３１について説明する。
【００５５】
本発明構成では、図４に示すように、従来の移動昇降式足場の作業プラットホームデッキ３０の下側に張り出しデッキ３１の取付けフレーム４０、４１、４２，４３を図３の平面図に示すように付加している。
【００５６】
取付けフレーム４０、４１は、図４の下側に拡大して示すように、作業プラットホームデッキ３０と支持フレーム３０Ａの取り付け部に、Ｖ字形の異型ボルト５０を対応させ、ナット５１で張り出しデッキ３１の取付けフレーム４０（４１）を固定している。
【００５７】
図５は、張り出しデッキ３１の構成例である。張り出しデッキ３１は、略弧状を成す親スライドデッキ６０と、親スライドデッキ６０の内側に矢印６１ａの方向にスライド収容／拡張される子スライドデッキ６１を有する。
【００５８】
図５では親スライドデッキ６０の作業プラットホームデッキ３０側に開く第１の開閉扉６２が開かれた状態を示している。この第１の開閉扉６２を通して、作業者は、作業プラットホームデッキ３０から張り出しデッキ３１に移動することが出来る。
【００５９】
さらに、張り出しデッキ３１の全体は、レール６３に沿って、矢印６０ａ方向（即ち、円錐躯体１の中心に向かう方向）にスライドして張り出し可能である。このレール６３は、取付けフレーム４２，４３に、図３の２点鎖線で示す方向に配置される。したがって、張り出しデッキ３１は、この２点鎖線に沿って、躯体１の中心に向かう方向に張り出しが可能である。
【００６０】
さらに、親スライドデッキ６０及び子スライドデッキ６１のそれぞれ側面（妻側）に開閉扉６０１、６１１を有している。これら開閉扉６０１、６１１は、先に図２Ｃにおいて説明したように躯体1の全周に渉り移動可能とするために、隣接間に渡り板６００，６１０を配置する際に開かれる。
【００６１】
図６は、作業プラットホームデッキ３０と張り出しデッキ３１との関係を説明する図であり、図６（１）は平面図を、図６（２）は図６（１）の矢印方向の側面図を示す。なお、図６（１）においても、マスト２を中心に、左右対称であるので、左側を重点に示している。
【００６２】
張り出しデッキ３１全体は、レール６３に沿う（図３の２点鎖線に対応）方向、即ち、円錐躯体１の中心に向かう方向に張り出され、又引き戻し可能である（矢印６０ａ）。さらに、張り出しデッキ３１の親スライドデッキ６０から、矢印６１ａ方向に子スライドデッキ６１の引き出し、引き戻しが可能である。
【００６３】
図７Ａ〜図７Ｄは、作業プラットホームデッキ３０と、マスト２を中心として、左右に備えられる張り出しデッキ３１との関係の組み合わせを示す図である。
【００６４】
図７Ａは、レール６３に沿って張り出しデッキ３１が張り出された状態である。この状態は、図２Ａ（１）に対応する。
【００６５】
図７Ｂは、図７Ａに示す状態から更に子スライドデッキ６１が、親スライドデッキ６０から引き出された状態である。この状態は、図２Ａ（２）に対応する。
【００６６】
図７Ｃは、左右に備えられる張り出しデッキ３１がともに作業プラットホームデッキ３０側に収納された状態である。この状態は、図２Ｂ（１）の状態に対応する。
【００６７】
図７Ｄは、図７Ｃの張り出しデッキ３１がともに作業プラットホームデッキ３０に収納された状態から子スライドデッキ６１が引き出された状態を示している。この状態は、図２Ｂ（２）に対応する。
【００６８】
ここで、本発明に従う移動昇降式足場３が、円錐躯体１の周囲に複数（図１の例では４台）備えられる場合、それぞれの移動昇降式足場３を単独で昇降制御する場合の他、全ての移動昇降式足場３を一斉に昇降制御する場合がある。そのために安全を考慮して、移動昇降式足場３の高さ位置並びに、昇降制御可能な状態であるかを監視することが必要である。
【００６９】
かかる状態を考慮して、複数の移動昇降式足場３を協調して制御することが必要であり、このために本発明の適用として集中管理システムが備えられる。
【００７０】
図８は、集中管理システムにおける操作盤１００の機能ブロック図であり、操作盤１００は、複数台（図１の例では４台）の移動昇降式足場３の一基に備えられ、全ての移動昇降式足場３の昇降を管理する。
【００７１】
操作盤１００は、制御部１０１、モニタ部１０２、昇降スイッチ１０３及び安全停止ボタン１０４を有する。制御部１０１は、自身の移動昇降式足場を含め全ての移動昇降式足場３の駆動部１１０，作業スライドデッキ１２０及び安全装置１３０と接続し、信号の送受を行う。
【００７２】
駆動部１１０として、移動昇降式足場３のそれぞれは、現用の昇降用のモータ１１１と予備用のモータ１１２を有している。駆動部１１０には、更に移動昇降式足場３の昇降中に上限・下限の任意の位置に取り付けたアタッチメントを感知してモータ１１１（１１２）を停止させるためのリミットスイッチ１１３を有する。すなわち、リミットスイッチ１１３は、移動昇降式足場３が上限に達したことを感知し、それ以上の上昇を停止するように、制御部１０１に信号を送る。反対に、移動昇降式足場３が下限に達したことを感知した場合は、それ以上の下降を停止するように、制御部１０１に信号を送る。
【００７３】
スライドデッキ装置１２０は、親スライドデッキ６０及び子スライドデッキ６１の状態をそれぞれ検知するリミットスイッチ１２１，１２２と、親スライドデッキ６０の第１の開閉扉６２、及び親スライドデッキ６０と子スライドデッキ６１のそれぞれの妻側の開閉扉６０１，６１１に対応してそれぞれの開閉状態を検知する対応する開閉扉検知スイッチ１２３を有し、これらスイッチ１２３のＯＮ，ＯＦＦ状態を制御部１０１に送る。
【００７４】
図９は、親スライドデッキ６０及び子スライドデッキ６１の状態をそれぞれ検知するリミットスイッチ１２１，１２２の配置位置、更に親スライドデッキ６０の第１の開閉扉６２、及び親スライドデッキ６０と子スライドデッキ６１のそれぞれの妻側の開閉扉６０１，６１１の開閉状態を検知する開閉扉検知スイッチ１２３の配置位置を説明する図である。
【００７５】
図９（１）は、作業プラットホームデッキ３０と張り出しデッキ３１の平面概念図である。
【００７６】
張り出しデッキ３１（従って、親スライドデッキ６０）の状態を検知する１段目のリミットスイッチ１２１はレール６３の先端部に設けられる。一方、張り出しデッキ３１の子スライドデッキ６１の状態を検知する２段目のリミットスイッチ１２２が、張り出しデッキ３１の取付けフレーム４０の先端部に設けられる。
【００７７】
１段目のリミットスイッチ１２１と２段目のリミットスイッチ１２２の動作原理は共通である。したがって、図９（２）、（３）により、１段目のリミットスイッチ１２１と２段目のリミットスイッチ１２２の動作を説明する。
【００７８】
１段目のリミットスイッチ１２１と２段目のリミットスイッチ１２２は、共にトグルスイッチであり、１段目のリミットスイッチ１２１は親スライドデッキ６０が張り出されていない状態でＯＦＦとなり、２段目のリミットスイッチ１２２は子スライドデッキ６１がスライドされていない状態でＯＦＦであるように、リミットスイッチ１２１及び１２２のスイッチノブが親スライドデッキ６０と子スライドデッキ６１の端面に接するように位置づけられている。
【００７９】
ついで、親スライドデッキ６０が張り出された状態及び子スライドデッキ６１がスライドして引き出された状態では、図９（３）に示す様に、親スライドデッキ６０及び子スライドデッキ６１の端面の移動により１段目のリミットスイッチ１２１及び２段目のリミットスイッチ１２２のスイッチノブが倒れ、それぞれＯＮ状態に切り替えられる。かかるリミットスイッチ１２１，１２２の状態が制御部１０１に送られる。
【００８０】
一方、図９（１）において、第１の開閉扉６２、及び親スライドデッキ６０と子スライドデッキ６１のそれぞれの妻側の開閉扉６０１，６１１の開閉状態を検知する開閉扉検知スイッチ１２３として、第１の開閉扉６２及び妻側の開閉扉６０１，６１１のそれぞれに対応して、扉先端とフレーム間の近接を検知する近接スイッチ６２ａ，６０１ａ、６１１ａを有する。
【００８１】
これら、近接スイッチ６２ａ，６０１ａ、６１１ａの状態が、制御部１０１に送られる。
【００８２】
さらに、オプション安全装置１３０が備えられ、風速計１３１は、移動昇降式足場３に備えられ風速を測定し、測定値が制御部１０１に送られる。
【００８３】
作業プラットホームデッキ３０は、マスト２を挟んで両側に張り出している。したがって、かかる作業プラットホームデッキ３０に規定の積載荷重以上の荷重が載せられた時、デッキに傾きが生じる。過荷重計１３２は、かかる傾きを検知して、その検知出力を制御部１０１に送り、安全のためにモータ１１１（又は１１２）を停止させる。
【００８４】
さらに、円錐形躯体１に対し、４基の作業足場装置３を同期させて、１基の操作盤１００において集中操作を行うために、操作者が他の３基の移動昇降式足場３の状態を監視するためにそれぞれの移動昇降式足場３に監視カメラ１３３を備えている。監視カメラ１３３の映像は、操作盤１００のディスプレイモニタ１０２で視認される。
【００８５】
図１０は、上記構成による、複数台の移動昇降式足場３の昇降を制御するフロー図である。
【００８６】
移動昇降式足場３の昇降を可能とするために、図１０において、先ず、操作盤１００の制御部１０１は、親スライドデッキ６０に対応するリミットスイッチ１２１の状態を検知する（ステップS１）。リミットスイッチ１２１がＯＮであると、親スライドデッキ６０が張り出し状態にあるので、近接スイッチ６２ａ及び６０１ａの状態から親スライドデッキ６０に設けられている第１の開閉扉６２及び妻側の扉６０１が閉じられていることを確認して、親スライドデッキ６０を収納し、固定する（ステップS２）。
【００８７】
次いで、２段目のリミットスイッチ１２２のＯＮ／ＯＦＦ状態から子スライドデッキ６１の状態を検知し（ステップS３）、リミットスイッチ１２２がＯＮであると、子スライドデッキ６１がスライドされた状態であるので、近接スイッチ６１１ａの状態から子スライドデッキ６１に設けられている開閉扉６１１が閉じられていることを確認して、子スライドデッキ６１を親スライドデッキ６０に収納し、固定する（ステップS４）。
【００８８】
子スライドデッキ６１が収納されていれば、風速計１３１の測定値を監視し（ステップS５）、閾値以上の風速であれば、風が収まるまで待機する（ステップS６）。この際、必要であれば、養生布を広げて覆い、風により作業床に置かれた用具等の飛散を防止する。
【００８９】
ついで、風速計１３１の計測値が、閾値以下であれば、過荷重計１３２を検知し（ステップS７）、過荷重であれば過荷重計１３２が検出されない重量まで軽減する（ステップS８）。ここで、過荷重計１３２により過荷重が検知されなければ、移動昇降式足場３の昇降が可能となる。
【００９０】
したがって、操作盤１００の昇降スイッチ１０３を押下してモータ１１１（又は１１２）を駆動して上昇又は下降を制御する（ステップS９）。
【００９１】
移動昇降式足場３の昇降が、上限又は下限に到達すると先に説明した上下限リミットスイッチがＯＮ状態となり（ステップS１０）、モータ１１１（又は１１２）が停止し移動昇降式足場３の昇降が停止する（ステップS１１）。一方、下限リミットスイッチがＯＮ状態でない状態で、安全停止ボタン１０４の押下により、任意の高さ位置で、移動昇降式足場３の昇降を停止していた場合は、安全停止ボタン１０４を解除することにより任意の高さ位置まで、移動昇降式足場３の昇降を行うことができる（ステップS１２）。
【符号の説明】
【００９２】
１  円錐状躯体
２(２a，２b，２c，２d)  マスト
３(３a，３b，３c，３d)  移動昇降式足場
３０  作業プラットホームデッキ
３１  張り出しデッキ
６０  親スライドデッキ
６１  子スライドデッキ
６００，６１０  渡し板
４０、４１，４２，４３  取り付けフレーム
５０，５１  異型ボルト・ナット
６２  第１のドア
６０１  親スライドデッキ妻側の開閉扉
６１１  子スライドデッキ妻側の開閉扉
６３  レール
【図１】
0006594630.tif 000002
【図２Ａ】
0006594630.tif 000003
【図２Ｂ】
0006594630.tif 000004
【図２Ｃ】
0006594630.tif 000005
【図３】
0006594630.tif 000006
【図４】
0006594630.tif 000007
【図５】
0006594630.tif 000008
【図６】
0006594630.tif 000009
【図７Ａ】
0006594630.tif 000010
【図７Ｂ】
0006594630.tif 000011
【図７Ｃ】
0006594630.tif 000012
【図７Ｄ】
0006594630.tif 000013
【図８】
0006594630.tif 000014
【図９】
0006594630.tif 000015
【図１０】
0006594630.tif 000016